(57)【要約】【課題】従来、マイナスイオン発生装置及びフ゜ラス電子発生装置との組合せにより、トルマリン塗布面から強制的にマイナスイオンを発生し、空気の清浄化を図る構成が開示されている。トルマリン微粒子の発生するマイナスイオンによる空気の清浄化は期待できるが、この清浄化は、空気とトルマリン微粒子との平面的な接触によるので、マイナスイオンの発生が必ずしも十分でなく、今日の汚染された大気の清浄化、又はエアークリーナ内空気中の塵埃除去、消臭を図るには改良すべき問題点と考えられる。【構成】車輌のエアークリーナ機構の吸込み口、エアークリーナチャンハ゛ーにトルマリン及びセ゛オライトを含有した浄化シートを取付け、浄化シートの変形部と、変形部・シート本体のトルマリン及びセ゛オライトと、エアークリーナ内の空気との接触の拡充を図り、トルマリン微粒子の発生するマイナスイオン機能、電気分解機能等と、セ゛オライトの陽イオン交換機能、触媒機能、吸着機能等の特性を発揮可能とした車輌のエアークリーナ内空気の浄化装置である。車輌のエアークリーナ内空気中の塵埃除去、消臭、又は殺菌等が図れること、又は空気の清浄化等が図れる。【選択図】　　図２
2004068669.tif 000002
【特許請求の範囲】
【請求項１】
車輌のエアークリーナ機構の吸込み口、又はエアークリーナチャンハ゛ーにトルマリン及びセ゛オライトを含有した浄化シートを取付け、この浄化シートに設けた凹凸細片、微細凸部、繊毛等の変形部と、この変形部とシート本体とに設けた前記トルマリン及びセ゛オライトと、前記エアークリーナ内を通過する空気との接触の拡充を図り、前記トルマリン及びセ゛オライトの特性を発揮可能とした車輌のエアークリーナ内空気の浄化装置。
【請求項２】
請求項１に記載の浄化シートを、エアークリーナチャンハ゛ーのエアーフィルター前方の空気通路に設ける構成とした車輌のエアークリーナ内空気の浄化装置。
【請求項３】
車輌のエアークリーナ機構の吸込み口、又はエアークリーナチャンハ゛ーに設けられる浄化シートであって、
この浄化シートは、トルマリン及びセ゛オライトを含有したシート本体と、このシート本体の表面より突出し、かつトルマリン及びセ゛オライトを含有した凹凸細片、微細凸部、繊毛等の変形部と、前記シート本体の裏面に設けた貼着部とで構成した車輌のエアークリーナ内に取付けできる空気の浄化シート。
【請求項４】
請求項３に記載のシート本体は、面ファスナーの雄ファスナー、又は雌ファスナーの何れかの形態で構成した車輌のエアークリーナ内に取付けできる空気の浄化シート。
【発明の詳細な説明】
【０００１】
【発明の属する技術分野】
この発明は、車輌、室内等用（車輌とする）のエアークリーナ、エアコンテ゛ショナー等（エアークリーナとする）内空気の浄化装置と、車輌のエアークリーナ、エアコンテ゛ショナー等（エアークリーナとする）内に取付けできる空気の浄化シートに関する。
【０００２】
【従来の技術】
昨今、環境破壊（大気の汚染防止）、資源の有効利用（燃費の向上）等を意図して、車輌（内燃機械）に関するエアークリーナ内空気の浄化装置、又はエアークリーナ内に取付けできる空気の浄化シートが提案されており、その一部は市販されている。
【０００３】
これらに関する文献として、マイナスイオンを利用し、空気中の塵埃除去、消臭、又は殺菌等を図る構成があり、実用新案登録第３０３８９２１号の空気高清浄自動車用エア・クリーナーアッハ゜ケース「文献（１）」と、特開２００１−６５４１５の内燃機関用燃費改善装置「文献（２）」とが挙げられる。この文献（１）は、マイナスイオン発生装置及びフ゜ラス電子発生装置との組合せにより、トルマリン塗布面から強制的にマイナスイオンを発生し、空気の清浄化を図ること、又は文献（２）は、トルマリン微粒子を含む水溶性塗料を、エレメントに塗布し、トルマリン微粒子の発生するマイナスイオンによる特性を利用すること、等を意図した構造である。この文献（１）、（２）は、トルマリン微粒子の発生するマイナスイオンによる空気の清浄化は期待できるが、この清浄化は、空気とトルマリン微粒子との平面的な接触による効果にある。従って、マイナスイオンの発生が必ずしも十分とは考えられず、改良の余地が含まれている。またトルマリン微粒子の発生するマイナスイオンによる空気の清浄化では、今日の汚染された大気を清浄化するには十分とは云えず改良すべき問題点と考えられる。
【０００４】
尚、一部に浄化シートを、車輌のエアークリーナ機構の吸込み口、又はエアークリーナチャンハ゛ーに設ける商品が市販されている。しかし、この浄化シートは、カーホ゛ン繊維の微粉末を含む不織布であることから、マイナスイオンの発生が少ないこと、又は人の健康に注意を要すること、等の問題を抱えている。
【０００５】
【発明が解決しようとする課題】
以上で説明した文献（１）、（２）の発明は、総括すると、本発明と同様に、車輌のエアークリーナ内空気の浄化装置と、この浄化装置に使用する浄化シートの構成であり、マイナスイオンを利用し、空気中の塵埃除去、消臭、又は殺菌等を図る構成である。しかし、この文献（１）、（２）は、前述の如く、浄化シートの構造上の欠陥と、又はこの欠陥によりしてトルマリン効果は、期待した程は、発生していないものと考えられる。従って、この種の問題点を解決した車輌のエアークリーナ内空気の浄化装置、及び浄化シートが要望される。
【０００６】
また市販の浄化シートにおいても、文献（１）、（２）と同じ課題を抱えているものと考えられる。
【０００７】
【課題を解決するための手段】
請求項１の発明は、トルマリン微粒子の発生するマイナスイオン機能、　電気分解機能等と、セ゛オライトの陽イオン交換機能、触媒機能、吸着機能等との特徴を介して、車輌のエアークリーナ内空気中の塵埃除去、消臭、又は殺菌等を図ること、又は空気の清浄化等を図ること、等を意図する。また本発明の特徴は、浄化シートの構造であって、このシート本体の表面より突出する凹凸細片、微細凸部、繊毛等の変形部を形成したことで、空気とトルマリン及びセ゛オライトとの接触面積・時間の拡充を介して、前記の特徴を最大限に発揮できる構造の提供を意図する。
【０００８】
請求項１は、車輌のエアークリーナ機構（エアークリーナ）の吸込み口、又はエアークリーナチャンハ゛ーにトルマリン及びセ゛オライトを含有した浄化シートを取付け、この浄化シートに設けた凹凸細片、微細凸部、繊毛等の変形部と、この変形部とシート本体とに設けた前記トルマリン及びセ゛オライトと、前記エアークリーナ内を通過する空気との接触の拡充を図り、前記トルマリン及びセ゛オライトの特性を発揮可能とした車輌のエアークリーナ内空気の浄化装置である。
【０００９】
請求項２の発明は、請求項１の目的を達成するのに最適な場所に、浄化シートを設けることを意図する。
【００１０】
請求項２は、請求項１に記載の浄化シートを、エアークリーナチャンハ゛ーのエアーフィルター前方の空気通路に設ける構成とした車輌のエアークリーナ内空気の浄化装置である。
【００１１】
請求項３の発明は、浄化シートのシート本体の表面より突出する凹凸細片、微細凸部、繊毛等の変形部を形成したことで、空気とトルマリン及びセ゛オライトとの接触面積・時間の拡充を介して、トルマリン微粒子の発生するマイナスイオン機能、電気分解機能等と、セ゛オライトの陽イオン交換機能、触媒機能、吸着機能等との特徴を最大限に発揮できる構造の提供を意図する。
【００１２】
請求項３は、車輌のエアークリーナ機構の吸込み口、又はエアークリーナチャンハ゛ーに設けられる浄化シートであって、
この浄化シートは、トルマリン及びセ゛オライトを含有したシート本体と、このシート本体の表面より突出し、かつトルマリン及びセ゛オライトを含有した凹凸細片、微細凸部、繊毛等の変形部と、前記シート本体の裏面に設けた貼着部とで構成した車輌のエアークリーナ内に取付けできる空気の浄化シートである。
【００１３】
請求項４の発明は、請求項３の目的を達成するのに最適な、シート本体を提供することを意図する。
【００１４】
請求項４は、請求項３に記載のシート本体は、面ファスナーの雄ファスナー、又は雌ファスナーの何れかの形態で構成した車輌のエアークリーナ内に取付けできる空気の浄化シートである。
【００１５】
【発明の実施の形態】
本発明の実施の態様を説明する。
【００１６】
浄化シート１は、トルマリン及びセ゛オライトを含有したシート本体１００と、このシート本体１００の表面より突出し、かつトルマリン及びセ゛オライトを含有した揺れ動き特性、又は接触特性等を備えた凹凸細片、微細凸部、繊毛等の変形部１０１と、シート本体１００の裏面に設けた貼着部１０２とで構成されている。そして、このシート本体１００は、カット可能な織物、編物等の布地、又はフ゜ラスチック薄膜等で構成する。そして、浄化シート１は、剥離紙１０３を剥した後に、その貼着部１０２を、車輌（図示せず）のエアークリーナ機構２の吸込み口２００、又はエアークリーナチャンハ゛ー２０１（空室）等に取付ける。尚、浄化シート１の取付けの基本は、エアークリーナチャンハ゛ー２０１のエアーエレメントクリーナ２０２前に取付けることが最適である。理由は、剥離した場合にエンシ゛ン２０３に到ることによる事故、又はトラフ゛ル等を皆無にするためである。
【００１７】
この吸込み口２００、又はエアークリーナチャンハ゛ー２０１に設けられたトルマリン及びセ゛オライトを含有した浄化シート１は、吸込まれる空気中に存在する塵埃、コ゛ミ等の異物をトルマリン微粒子の発生するマイナスイオン機能、電気分解機能等を介して吸着及び捕捉して、空気の清浄化（清澄化）を図るとともに、セ゛オライトの陽イオン交換機能、触媒機能、吸着機能等を介して吸着、陽イオン交換及び触媒効果を介して脱臭化、清浄化を図る。そして、この空気は、変形部１０１との接触の拡充と、この接触による変形部１０１の微動により、そのトルマリン及びセ゛オライトの効果は、最大限発揮されて、前記の目的を略１００％達成できる。
【００１８】
この清浄化された空気は、さらにエアーエレメントクリーナ２０２により、吸着、清浄化される。この空気がエンシ゛ン２０３に供給される。
【００１９】
この結果、排気カ゛ス中の汚染物質の減少と、これに基づく大気汚染の減少化が図れること、又はエンシ゛ン２０３の燃焼の効率化、燃費の向上等が図れることが判明した。またこの傾向は、長距離の走行と、安定した運転等を図ることで、一層向上することが経験則で解明できた。　そして、一部では、トルクの向上と、馬力のアッフ゜も可能となったとの報告がある。
【００２０】
尚、この浄化シート１は、長期的な使用が可能であるが、望ましくは、１年程度をめどに交換する。またこの浄化シート１の取付け、取外しは、何人もワンタッチで行え、大変重宝することと、取付ける場所により、鋏等の切断手段を利用して、自由にカットし、所定の形状及び／又は寸法にして利用できる実益もある。
【００２１】
【実施例】
以下、本発明の一実施例を説明する。
【００２２】
図中１は浄化シートで、この浄化シート１は、トルマリン及びセ゛オライトを含有したシート本体１００と、シート本体１００の表面より突出し、かつトルマリン及びセ゛オライトを含有した凹凸細片、微細凸部、繊毛等の変形部１０１と、シート本体１００の裏面に設けた貼着部１０２とで構成されている。尚、シート本体１００は、カット可能な織物、編物等の布地、又はフ゜ラスチック薄膜等で構成する。尚、トルマリン及びセ゛オライトの混合割合は、重量比で、例えば、水溶性塗料５５〜９０、トルマリン２０〜４５、セ゛オライト８〜１８とする。そして、浄化シート１の機能、価格、等を考慮した、好ましい一例は、水溶性塗料６０、トルマリン３０、セ゛オライト１０とする。またトルマリン及び／又はセ゛オライトは、微粒子の使用と、また工業用品との採用により、機能の拡充と、人の健康、生物・植物の生殖への配慮等を図ること、又は水溶性塗料の使用により、公害発生回避、人の内蔵器官、又は人体等への被害をなくし得る特徴がある。
【００２３】
この浄化シート１は、適宜カット（切断）して、所定の形状及び／又は寸法として車輌のエアークリーナ機構２の吸込み口２００、又はエアークリーナチャンハ゛ー２０１に取付け、浄化シート１の取付けの基本は、エアークリーナチャンハ゛ー２０１のエアーエレメントクリーナ２０２前に取付けることが最適である。理由は、剥離した場合にエンシ゛ン２０３に到り、トラフ゛ルを皆無にするためである。
【００２４】
また車内のエアコンの吹出し口、シートの下側、窓の下側等に取付け、車内空気中の塵埃除去、消臭、又は殺菌等を図ること、又は空気の清浄化等が図ること、等にも利用できる。
【００２５】
図中３、４は空気のホース（配管）を示す。
【００２６】
尚、本発明は、車輌、室内用のエアコン吹出口５のルーハ゛ー６に、浄化シート１を取付け、前述の例と同様に空気の洗浄化を図ること、又はアトヒ゜ー、花粉症等の患者等への有効性も可能と思われる。
【００２７】
また本発明は、図８に示した、エアコンテ゛ショナー７にも採用できる。そして、周辺機器を、図中の文字で示した。
【００２８】
【発明の効果】
請求項１の発明は、車輌のエアークリーナ機構の吸込み口、又はエアークリーナチャンハ゛ーにトルマリン及びセ゛オライトを含有した浄化シートを取付け、浄化シートに設けた変形部と、変形部とシート本体とに設けたトルマリン及びセ゛オライトと、エアークリーナ内を通過する空気との接触の拡充を図り、トルマリン及びセ゛オライトの特性を発揮可能とした車輌のエアークリーナ内空気の浄化装置である。従って、トルマリン微粒子の発生するマイナスイオン機能、電気分解機能等と、セ゛オライトの陽イオン交換機能、触媒機能、吸着機能等との特徴を介して、車輌のエアークリーナ内空気中の塵埃除去、消臭、又は殺菌等が図れること、又は空気の清浄化等が図れること、等の特徴がある。また本発明の特徴は、浄化シートの構造であって、このシート本体の表面より突出する凹凸細片、微細凸部、繊毛等の変形部を形成したことで、空気とトルマリン及びセ゛オライトとの接触面積・時間の拡充を介して、前記の特徴を最大限に発揮できる構造を提供できる実益がある。
【００２９】
請求項２の発明は、請求項１に記載の浄化シートを、エアークリーナチャンハ゛ーのエアーフィルター前方の空気通路に設ける構成とした車輌のエアークリーナ内空気の浄化装置である。従って、請求項１の目的を達成するのに最適な場所に、浄化シートを設け得る特徴がある。
【００３０】
請求項３の発明は、車輌のエアークリーナ機構の吸込み口、又はエアークリーナチャンハ゛ーに設けられる浄化シートであって、浄化シートは、トルマリン及びセ゛オライトを含有したシート本体と、シート本体の表面より突出し、かつトルマリン及びセ゛オライトを含有した変形部と、シート本体の裏面に設けた貼着部とで構成した車輌のエアークリーナ内に取付けできる空気の浄化シートである。従って、浄化シートのシート本体の表面より突出する凹凸細片、微細凸部、繊毛等の変形部を形成したことで、空気とトルマリン及びセ゛オライトとの接触面積・時間の拡充を介して、トルマリン微粒子の発生するマイナスイオン機能、電気分解機能等と、セ゛オライトの陽イオン交換機能、触媒機能、吸着機能等との特徴を最大限に発揮できる構造を提供できる。
【００３１】
請求項４の発明は、請求項３に記載のシート本体は、面ファスナーの雄ファスナー、又は雌ファスナーの何れかの形態で構成した車輌のエアークリーナ内に取付けできる空気の浄化シートである。従って、請求項３の目的を達成するのに最適な、シート本体を提供できる実益がある。
【図面の簡単な説明】
【図１】本発明の浄化シートの拡大斜視図
【図２】（イ）は本発明の浄化シートを取付けの一例を示した一部省略で、かつ半截した
状態の側面図、（ロ）は本発明を吸込み口に採用した正面図
【図３】図２の平面図
【図４】本発明を車輌用のエアコン吹出口に採用した模式図
【図５】図４のルーハ゛ーを示す拡大斜視図
【図６】本発明を室内用のエアコン吹出口に採用した模式図
【図７】図６のルーハ゛ーを示す拡大斜視図
【図８】本発明をエアコンテ゛ショナーに採用した模式図
【符号の説明】
１　　　　浄化シート
１００　　　シート本体
１０１　　　変形部
１０２　　　貼着部
１０３　　　剥離紙
２　　　　　　　エアークリーナ機構
２００　　　吸込み口
２０１　　　エアークリーナチャンハ゛ー
２０２　　　エアーエレメントクリーナ
２０３　　　エンシ゛ン
３　　　　ホース
４　　　　　　　ホース
５　　　　吹出口
６　　　　ルーハ゛ー
７　　　　エアコンテ゛ショナー
【図１】
2004068669.tif 000003
【図２】
2004068669.tif 000004
【図３】
2004068669.tif 000005
【図４】
2004068669.tif 000006
【図５】
2004068669.tif 000007
【図６】
2004068669.tif 000008
【図７】
2004068669.tif 000009
【図８】
2004068669.tif 000010
【手続補正書】
【提出日】平成15年2月27日(2003.2.27)
【手続補正１】
【補正対象書類名】明細書
【補正対象項目名】全文
【補正方法】変更
【補正の内容】
【発明の詳細な説明】
【特許請求の範囲】
【請求項１】水溶性塗料とトルマリン及びセ゛オライトとを混合し、このトルマリン及びセ゛オライトを含有した浄化シートを、車輌のエアークリーナ機構の吸込み口、又はエアークリーナチャンハ゛ーに取付け、この浄化シートのトルマリン及びセ゛オライトと、前記エアークリーナ機構を通過する空気との接触の拡充を図り、前記トルマリン及びセ゛オライトの特性を発揮可能とした車輌のエアークリーナ内空気の浄化装置であって、
前記浄化シートを、トルマリン及びセ゛オライトを含有した面ファスナーでなるシート本体と、このシート本体の裏面に設けた貼着部とで構成した車輌のエアークリーナ内空気の浄化装置。
【請求項２】車輌のエアークリーナ機構の吸込み口、又はエアークリーナチャンハ゛ーに取付けられる浄化シートであって、
この浄化シートを、水溶性塗料とトルマリン及びセ゛オライトとを混合し、このトルマリン及びセ゛オライトを含有した面ファスナーでなるシート本体と、このシート本体の裏面に設けた貼着部とで構成した車輌のエアークリーナ内に取付けできる空気の浄化シート。
【発明の詳細な説明】
【０００１】
【発明の属する技術分野】
この発明は、車輌、室内等用（車輌とする）のエアークリーナ、エアコンテ゛ショナー等（エアークリーナとする）内空気の浄化装置と、車輌のエアークリーナ、エアコンテ゛ショナー等（エアークリーナとする）内に取付けできる空気の浄化シートに関する。
【０００２】
【従来の技術】
昨今、環境破壊（大気の汚染防止）、資源の有効利用（燃費の向上）等を意図して、車輌（内燃機械）に関するエアークリーナ内空気の浄化装置、又はエアークリーナ内に取付けできる空気の浄化シートが提案されており、その一部は市販されている。
【０００３】
これらに関する文献として、マイナスイオンを利用し、空気中の塵埃除去、消臭、又は殺菌等を図る構成があり、実用新案登録第３０３８９２１号の空気高清浄自動車用エア・クリーナーアッハ゜ケース「文献（１）」と、特開２００１−６５４１５の内燃機関用燃費改善装置「文献（２）」とが挙げられる。この文献（１）は、マイナスイオン発生装置及びフ゜ラス電子発生装置との組合せにより、トルマリン布面から強制的にマイナスイオンを発生し、空気の清浄化を図ること、又は文献（２）は、網目状フ゜ラスチックエレメントを、フ゛ラックカーホ゛ンと、トルマリンとを担持したトルマリン担持フ゜ラスチック繊維素で構成し、この網目状フ゜ラスチックエレメントを、エアフィルタの前側に設置する構成と、吸気管の内面に塗布したコーティンク゛材の表面に、トルマリンの粉粒を吹き付けた空気活性化コーティンク゛層を設けた構成が開示されている。この文献（１）、（２）は、トルマリン微粒子の発生するマイナスイオンによる空気の清浄化は期待できるが、この清浄化は、空気とトルマリン微粒子との平面的な接触による効果にある。従って、マイナスイオンの発生が必ずしも十分とは考えられず、改良の余地が含まれている。またトルマリン微粒子の発生するマイナスイオンによる空気の清浄化では、今日の汚染された大気を清浄化するには十分とは云えず改良すべき問題点と考えられる。
【０００４】
尚、一部に浄化シートを、車輌のエアークリーナ機構の吸込み口、又はエアークリーナチャンハ゛ーに設ける商品が市販されている。しかし、この浄化シートは、カーホ゛ン繊維の微粉末を含む不織布であることから、マイナスイオンの発生が少ないこと、又は人の健康に注意を要すること、等の問題を抱えている。
【０００５】
【発明が解決しようとする課題】
以上で説明した文献（１）、（２）の発明は、総括すると、本発明と同様に、車輌のエアークリーナ内空気の浄化装置と、この浄化装置に使用する浄化シートの構成であり、マイナスイオンを利用し、空気中の塵埃除去、消臭、又は殺菌等を図る構成である。しかし、この文献（１）、（２）は、前述の如く、浄化シートの構造上の欠陥と、又はこの欠陥よりしてトルマリン効果は、期待した程は、発生していないものと考えられる。従って、この種の問題点を解決した車輌のエアークリーナ内空気の浄化装置、及び浄化シートが要望される。
【０００６】
また市販の浄化シートにおいても、文献（１）、（２）と同じ課題を抱えているものと考えられる。
【０００７】
【課題を解決するための手段】
請求項１の発明は、トルマリン微粒子の発生するマイナスイオン機能、　電気分解機能等と、セ゛オライトの陽イオン交換機能、触媒機能、吸着機能等との特徴を介して、車輌のエアークリーナ内空気中の塵埃除去、消臭、又は殺菌等を図ること、又は空気の清浄化等を図ること、等を意図する。また本発明の特徴は、浄化シートの構造であって、このシート本体を面ファスナーで形成したことで、空気とトルマリン及びセ゛オライトとの接触面積・時間の拡充を介して、前記の特徴を最大限に発揮できる構造の提供を意図する。
【０００８】
請求項１は、水溶性塗料とトルマリン及びセ゛オライトとを混合し、このトルマリン及びセ゛オライトを含有した浄化シートを、車輌のエアークリーナ機構の吸込み口、又はエアークリーナチャンハ゛ーに取付け、この浄化シートのトルマリン及びセ゛オライトと、前記エアークリーナ機構を通過する空気との接触の拡充を図り、前記トルマリン及びセ゛オライトの特性を発揮可能とした車輌のエアークリーナ内空気の浄化装置であって、
前記浄化シートを、トルマリン及びセ゛オライトを含有した面ファスナーでなるシート本体と、このシート本体の裏面に設けた貼着部とで構成した車輌のエアークリーナ内空気の浄化装置である。
【０００９】
【００１０】
【００１１】
請求項２の発明は、浄化シートのシート本体を面ファスナーで形成したことで、空気とトルマリン及びセ゛オライトとの接触面積・時間の拡充を介して、トルマリン微粒子の発生するマイナスイオン機能、電気分解機能等と、セ゛オライトの陽イオン交換機能、触媒機能、吸着機能等との特徴を最大限に発揮できる構造の提供を意図する。
【００１２】
請求項２は、車輌のエアークリーナ機構の吸込み口、又はエアークリーナチャンハ゛ーに取付けられる浄化シートであって、
この浄化シートを、水溶性塗料とトルマリン及びセ゛オライトとを混合し、このトルマリン及びセ゛オライトを含有した面ファスナーでなるシート本体と、このシート本体の裏面に設けた貼着部とで構成した車輌のエアークリーナ内に取付けできる空気の浄化シートである。
【００１３】
【００１４】
【００１５】
【発明の実施の形態】
本発明の実施の態様を説明する。
【００１６】
この浄化シート１は、トルマリン及びセ゛オライトを含有した雄ファスナー、又は雌ファスナーの面ファスナーでなるシート本体１００と、シート本体１００の表面より突出し、かつトルマリン及びセ゛オライトを含有した変形部１０１と、シート本体１００の裏面に設けた貼着部１０２とで構成されている。そして、このシート本体１００は、カット可能な織物、編物等の布地、又はフ゜ラスチック薄膜等で構成する。そして、浄化シート１は、剥離紙１０３を剥した後に、その貼着部１０２を、車輌（図示せず）のエアークリーナ機構２の吸込み口２００、又はエアークリーナチャンハ゛ー２０１（空室）等に取付ける。尚、浄化シート１の取付けの基本は、エアークリーナチャンハ゛ー２０１のエアーエレメントクリーナ２０２前に取付けることが最適である。理由は、剥離した場合にエンシ゛ン２０３に到ることによる事故、又はトラフ゛ル等を皆無にするためである。
【００１７】
この吸込み口２００、又はエアークリーナチャンハ゛ー２０１に設けられたトルマリン及びセ゛オライトを含有した浄化シート１は、吸込まれる空気中に存在する塵埃、コ゛ミ等の異物をトルマリン微粒子の発生するマイナスイオン機能、電気分解機能等を介して吸着及び捕捉して、空気の清浄化（清澄化）を図るとともに、セ゛オライトの陽イオン交換機能、触媒機能、吸着機能等を介して吸着、陽イオン交換及び触媒効果を介して脱臭化、清浄化を図る。そして、この空気は、変形部１０１との接触の拡充と、この接触による変形部１０１の微動により、そのトルマリン及びセ゛オライトの効果は、最大限発揮されて、前記の目的を略１００％達成できる。
【００１８】
この清浄化された空気は、さらにエアーエレメントクリーナ２０２により、吸着、清浄化される。この空気がエンシ゛ン２０３に供給される。
【００１９】
この結果、排気カ゛ス中の汚染物質の減少と、これに基づく大気汚染の減少化が図れること、又はエンシ゛ン２０３の燃焼の効率化、燃費の向上等が図れることが判明した。またこの傾向は、長距離の走行と、安定した運転等を図ることで、一層向上することが経験則で解明できた。　そして、一部では、トルクの向上と、馬力のアッフ゜も可能となったとの報告がある。
【００２０】
尚、この浄化シート１は、長期的な使用が可能であるが、望ましくは、１年程度をめどに交換する。またこの浄化シート１の取付け、取外しは、何人もワンタッチで行え、大変重宝することと、取付ける場所により、鋏等の切断手段を利用して、自由にカットし、所定の形状及び／又は寸法にして利用できる実益もある。
【００２１】
【実施例】
以下、本発明の一実施例を説明する。
【００２２】
図中１は浄化シートで、この浄化シート１は、トルマリン及びセ゛オライトを含有した面ファスナーでなるシート本体１００と、シート本体１００の表面より突出し、かつトルマリン及びセ゛オライトを含有した変形部１０１と、シート本体１００の裏面に設けた貼着部１０２とで構成されている。尚、シート本体１００は、カット可能な織物、編物等の布地、又はフ゜ラスチック薄膜等で構成する。尚、トルマリン及びセ゛オライトの混合割合は、重量比で、例えば、水溶性塗料５５〜９０、トルマリン２０〜４５、セ゛オライト８〜１８とする。そして、浄化シート１の機能、価格、等を考慮した、好ましい一例は、水溶性塗料６０、トルマリン３０、セ゛オライト１０とする。またトルマリン及び／又はセ゛オライトは、微粒子の使用と、また工業用品との採用により、機能の拡充と、人の健康、生物・植物の生殖への配慮等を図ること、又は水溶性塗料の使用により、公害発生回避、人の内臓器官、又は人体等への被害をなくし得る特徴がある。
【００２３】
この浄化シート１は、適宜カット（切断）して、所定の形状及び／又は寸法として車輌のエアークリーナ機構２の吸込み口２００、又はエアークリーナチャンハ゛ー２０１に取付け、浄化シート１の取付けの基本は、エアークリーナチャンハ゛ー２０１のエアーエレメントクリーナ２０２前に取付けることが最適である。理由は、剥離した場合にエンシ゛ン２０３に到り、トラフ゛ルを皆無にするためである。
【００２４】
また車内のエアコンの吹出し口、シートの下側、窓の下側等に取付け、車内空気中の塵埃除去、消臭、又は殺菌等を図ること、又は空気の清浄化等を図ること、等にも利用できる。
【００２５】
図中３、４は空気のホース（配管）を示す。
【００２６】
尚、本発明は、車輌、室内用のエアコン吹出口５のルーハ゛ー６に、浄化シート１を取付け、前述の例と同様に空気の洗浄化を図ること、又はアトヒ゜ー、花粉症等の患者等への有効性も可能と思われる。
【００２７】
また本発明は、図８に示した、エアコンテ゛ショナー７にも採用できる。そして、周辺機器を、図中の文字で示した。
【００２８】
【発明の効果】
請求項１の発明は、水溶性塗料とトルマリン及びセ゛オライトとを混合し、トルマリン及びセ゛オライトを含有した浄化シートを、車輌のエアークリーナ機構の吸込み口、又はエアークリーナチャンハ゛ーに取付け、この浄化シートのトルマリン及びセ゛オライトと、前記エアークリーナ機構を通過する空気との接触の拡充を図り、トルマリン及びセ゛オライトの特性を発揮可能とした車輌のエアークリーナ内空気の浄化装置であって、浄化シートを、トルマリン及びセ゛オライトを含有した面ファスナーでなるシート本体と、シート本体の裏面に設けた貼着部とで構成した車輌のエアークリーナ内空気の浄化装置である。従って、トルマリン微粒子の発生するマイナスイオン機能、電気分解機能等と、セ゛オライトの陽イオン交換機能、触媒機能、吸着機能等との特徴を介して、車輌のエアークリーナ内空気中の塵埃除去、消臭、又は殺菌等が図れること、又は空気の清浄化等が図れること、等の特徴がある。また本発明の特徴は、浄化シートの構造であって、このシート本体を面ファスナーで形成したことで、空気とトルマリン及びセ゛オライトとの接触面積・時間の拡充を介して、前記の特徴を最大限に発揮できる構造を提供できる実益がある。
【００２９】
【００３０】
請求項２の発明は、車輌のエアークリーナ機構の吸込み口、又はエアークリーナチャンハ゛ーに取付けられる浄化シートであって、浄化シートを、水溶性塗料とトルマリン及びセ゛オライトとを混合し、トルマリン及びセ゛オライトを含有した面ファスナーでなるシート本体と、このシート本体の裏面に設けた貼着部とで構成した車輌のエアークリーナ内に取付けできる空気の浄化シートである。従って、浄化シートのシート本体を面ファスナーで形成したことで、空気とトルマリン及びセ゛オライトとの接触面積・時間の拡充を介して、トルマリン微粒子の発生するマイナスイオン機能、電気分解機能等と、セ゛オライトの陽イオン交換機能、触媒機能、吸着機能等との特徴を最大限に発揮できる構造を提供できる。
【００３１】
【図面の簡単な説明】
【図１】本発明の浄化シートの拡大斜視図
【図２】（イ）は本発明の浄化シートを取付けた一例を示す一部省略で、かつ半截した
状態の側面図、（ロ）は本発明を吸込み口に採用した正面図
【図３】図２の平面図
【図４】本発明を車輌用のエアコン吹出口に採用した模式図
【図５】図４のルーハ゛ーを示す拡大斜視図
【図６】本発明を室内用のエアコン吹出口に採用した模式図
【図７】図６のルーハ゛ーを示す拡大斜視図
【図８】本発明をエアコンテ゛ショナーに採用した模式図
【符号の説明】
１　　　　浄化シート
１００　　　シート本体
１０１　　　変形部
１０２　　　貼着部
１０３　　　剥離紙
２　　　　　　　エアークリーナ機構
２００　　　吸込み口
２０１　　　エアークリーナチャンハ゛ー
２０２　　　エアーエレメントクリーナ
２０３　　　エンシ゛ン
３　　　　ホース
４　　　　　　　ホース
５　　　　吹出口
６　　　　ルーハ゛ー
７　　　　エアコンテ゛ショナー